(57)【要約】【課題】  魚道を形成するに際して、その施工を容易にすることができる魚道形成用越流型隔壁ブロックを提供する。【解決手段】当該魚道形成用越流型隔壁ブロック３は、水路２の底面６上に、該水路２の両壁部５間に延びるようにして配置されるものである。このものは、下面９が平坦面に形成されている一方、下面９よりも上方部分が、延び方向一方側から他方側に向かうに従って、径方向外方に拡大するように設定されている。このため、当該越流型隔壁ブロック３は、その上方部分の形状をもって本来の越流型隔壁として有効に機能するだけでなく、その延び方向一方側から他方側に向かうに従って、その下面の面積が拡大されると共に重量が増大することを利用して、当該越流型隔壁ブロック３の設置安定性を確保できることになる。【選択図】      図７
2008157024.tif 000002
【特許請求の範囲】
【請求項１】
水路の底面上に、該水路の両側壁部間に延びるようにして配置される魚道形成用越流型隔壁ブロックにおいて、
下面が平坦面に形成され、
前記下面よりも上方部分が、延び方向一方側から他方側に向かうに従って、径方向外方に拡大するように設定され、
前記下面よりも上方部分における表層部内に、石が内蔵されている、
ことを特徴とする魚道形成用越流型隔壁ブロック。
【請求項２】
請求項１において、
前記表層部に、延び方向全体に亘って延びるようにして枠体が内蔵され、
前記枠体に網状体が取付けられ、
前記網状体に前記石が取付けられている、
ことを特徴とする魚道形成用越流型隔壁ブロック。
【請求項３】
請求項１又は２において、
複数の構成ブロックが、延び方向において、順次、連結することにより構成されている、
ことを特徴とする魚道形成用越流型隔壁ブロック。
【請求項４】
上方を開口した凹所が真っ直ぐ延びその凹所内がその延び方向一方側から他方側に向かうに従って径方向に拡大された型と、その型内の凹所に沿うようにして収納可能な枠体と、網状体に石が取付けられた石保持ユニットとを用意し、
先ず、水路の底面上に前記枠体を配置し、
次に、前記枠体に、前記型の凹所内面に対向して配置されるべき相当部分において前記石保持ユニットを取付けて、補強構造物を形成し、
次に、前記型を、その開口側を前記水路底面に向けつつ前記補強構造物に被せて、該型を水路底面上に配置すると共に該型内に前記補強構造物をセットし、
次に、前記型内に上方又は側方から前記コンクリートを注入する、
ことを特徴とする魚道形成用越流型隔壁ブロックの製造方法。
【発明の詳細な説明】
【技術分野】
【０００１】
本発明は、魚道を形成するために用いられる魚道形成用越流型隔壁ブロック及びその製造方法に関する。
【背景技術】
【０００２】
近時、「魚が登りやすい川づくり」が施策として推進されており、この推進の動きを受けて種々の魚道が提案されている。例えば特許文献１には、水路形成用ブロックをつないで水路を形成する一方、その水路内に魚道形成用の越流型隔壁ブロックを一定間隔毎に配置したものが示されている。
【０００３】
【特許文献１】特開平１１−３１５５２８号公報
【発明の開示】
【発明が解決しようとする課題】
【０００４】
しかし、上記魚道においては、越流型隔壁ブロックが細幅とされてそのもの自体の設置安定性がよくないことから、越流型隔壁ブロックを水路形成用ブロック間に水路を横断するようにして挟み込むこととされている。このため、施工に際して、水路形成用ブロックによる水路の施工と、越流型隔壁ブロックの設置施工とを組み合わせた状態で行わなければならず、その施工においては、水路の止水性に対していままでよりもより注意が必要となるばかりか、水路形成用ブロック、越流型隔壁ブロックが重量物であることに基づき、水路形成用ブロック間に対する越流型隔壁ブロックの挟み込み作業等が施工負担として増えることになる。
【０００５】
本発明は以上のような事情に鑑みてなされたもので、その第１の技術的課題は、魚道を形成するに際して、その施工を容易にすることができる魚道形成用越流型隔壁ブロックを提供することにある。
第２の技術的課題は、上記魚道形成用越流型隔壁ブロックを製造するための魚道形成用越流型隔壁ブロックの製造方法を提供することにある。
【課題を解決するための手段】
【０００６】
前記第１の技術的課題を達成するために本発明（請求項１に係る発明）にあっては、
水路の底面上に、該水路の両側壁部間に延びるようにして配置される魚道形成用越流型隔壁ブロックにおいて、
下面が平坦面に形成され、
前記下面よりも上方部分が、延び方向一方側から他方側に向かうに従って、径方向外方に拡大するように設定され、
前記下面よりも上方部分における表層部内に、石が内蔵されている構成としてある。この請求項１の好ましい態様としては、請求項２、３の記載の通りとなる。
【０００７】
前記第２の技術的課題を達成するために本発明（請求項４に係る発明）にあっては、
上方を開口した凹所が真っ直ぐ延びその凹所内がその延び方向一方側から他方側に向かうに従って径方向に拡大された型と、その型内の凹所に沿うようにして収納可能な枠体と、網状体に石が取付けられた石保持ユニットとを用意し、
先ず、水路の底面上に前記枠体を配置し、
次に、前記枠体に、前記型の凹所内面に対向して配置されるべき相当部分において前記石保持ユニットを取付けて、補強構造物を形成し、
次に、前記型を、その開口側を前記水路底面に向けつつ前記補強構造物に被せて、該型を水路底面上に配置すると共に該型内に前記補強構造物をセットし、
次に、前記型内に上方又は側方から前記コンクリートを注入する、
ことを特徴とする魚道形成用越流型隔壁ブロックの製造方法とした構成としてある。
【発明の効果】
【０００８】
請求項１に記載された発明によれば、当該越流型隔壁ブロックは、その延び方向一方側から他方側に向かうに従って、その下面の面積が拡大されると共に重量が増大することになり、その面積と重量とを利用し、水路底面に該越流型隔壁ブロックを単に載置するだけで、水路の施工とは無関係に、該越流型隔壁ブロックを設置安定性良く水路底面に設置できることになる。このため、当該越流型隔壁ブロックを用いることにより、その設置施工負担の軽減を図ることができることになり、魚道を形成するに際して、その施工を容易にできることになる。
勿論、当該越流型隔壁ブロックを用いれば、設置後、その外周面を流れることになる越流水の速度が該越流型隔壁ブロックの延び方向において異なることを利用して、泳力の異なる種々の魚を登らせることができることになる。
【０００９】
また、上方部分における表層部内に石が内蔵されていることから、耐摩耗性を高めることができ、上流、中流域においても当該越流型隔壁ブロックを使用できることになる。
【００１０】
請求項２に記載された発明によれば、表層部に、延び方向全体に亘って延びるようにして枠体が内蔵され、その枠体に網状体が取付けられ、網状体に石が取付けられていることから、石を、当該越流型隔壁ブロックにおける下面よりも上方部分における表層部内に的確に配置できることになり、前記請求項１に係る越流型隔壁ブロックを具体的に提供できることになる。
【００１１】
請求項３に記載された発明によれば、複数の構成ブロックが、延び方向において、順次、連結することにより構成されていることから、構成ブロックの数の調整により、種々の幅の水路に対して的確且つ迅速に対応できることになる。
【００１２】
請求項４に記載された発明によれば、水路の底面上に、型を用いて、直接、請求項１に係る越流型隔壁ブロックを具体的に形成することができる。
【発明を実施するための最良の形態】
【００１３】
以下、本発明の実施形態について図面に基づいて説明する。
図１、図２において、符号１は、第１実施形態に係る魚道で、魚道１は、水路２内に実施形態に係る越流型隔壁ブロック（以下、隔壁ブロックと称す）３を水の流れ方向に間隔Ｌをあけて配置される構成とされている。
【００１４】
前記水路２は、一定幅をもって延びる底壁部４と、その底壁部４の幅方向両側において起立する一対の側壁部５とから形成されている。底壁部４は、水が流れるようにすべく傾斜されており、その勾配は、本実施形態においては１：１０〜１６程度に設定されている。この底壁部４は、底面６にコンクリート等を打設して仕上げ層７を形成することにより河床面（水路面）８が形成されており、この仕上げ層７は、隔壁ブロック３を底面６上に配置した後に、その底面６上に施されることになっている（図６参照、、図３，図５において、Ｈ２は隔壁ブロック３の下部がコンクリート等に埋め込まれる深さを示す）。各側壁部５は、一定厚みをもって水路２の延び方向に延びており、この各側壁部５の内面には、本実施形態においては、特に、隔壁ブロック３を連結するための連結具は設けられていない。隔壁ブロック３の重量、面積、隔壁ブロック３と仕上げ層７との係合（後述）等を利用すれば、隔壁ブロック３を設置位置に十分に固定でき、隔壁ブロック３の延び方向端面と側壁部５との間には二次コンクリート３２を充填する程度の連結で足りるからである。
【００１５】
前記各隔壁ブロック３は、図１，図２に示すように、水路２の一対の側壁部５間に跨るように延びている。この隔壁ブロック３の延び方向全長Ｂ（例えば５ｍ前後）は、水路２の一対の側壁部５間の幅間隔と略同じ長さとされているが、その一対の側壁部５間に隔壁ブロック３を跨げて挿入できるようにすべく、隔壁ブロック３の全長Ｂは、一対の側壁部５間に幅間隔よりも若干、短くされている。
【００１６】
この各隔壁ブロック３は、図１，図４〜図６に示すように、コンクリートをもって略ハーフコーン形状（円錐形を半分にした形状）に形成されている。すなわち、隔壁ブロック３は、その下面９が、水路２の底面６に当接（設置）すべき面として、延び方向全長Ｂに亘って平坦面に形成されている一方、その下面９よりも上方部分には、延び方向一方側（図３，図４中、左側）から他方側（図３，図４中、右側）に向けて、略半円柱部１１、略半円錐部１２が連続的に形成されている。
【００１７】
上記略半円柱部１１は、図６に示すように、その頂部１１ａの外縁が、略半円柱部１１の延び方向全体に亘って、設置時に河床面８と同一高さとなる仮想面２６上の点Ｏ１を中心として半径Ｒ１（例えば魚が登りやすい最小半径、最小水位を確保する点等を考慮し、３００ｍｍ前後に設定）の円弧をもって形成され、その円弧状の頂部１１ａの幅方向（図６中、左右方向）一方側には一方側（上流側又は下流側）側面２７が連なり、その円弧状の上部１１ａの幅方向他方側には他方側（上流側又は下流側）側面２８が連なっている。一方側側面２７は、下方側に向かうに従って隔壁ブロック３の幅方向一方側外方（図６中、左側）に向かって傾斜され、他方側側面２８は、下方側に向かうに従って隔壁ブロック３の幅方向他方側外方（図６中、右側）に向かって傾斜されており、本実施形態においては、両側面２７，２８は対称に配置されている。このため、略半円柱部１１の下面９の幅方向長さＤ１はＲ１の２倍の長さよりも多少長く、例えばＤ１＝６００〜７２０ｍｍ前後とされている。このような略半円柱部１１は、一定高さＨ１（４００ｍｍ前後）に維持しつつ一定長さＢ１（３００〜４００ｍｍ前後）だけ延びることになっており、その略半円柱部１１のうち、下面９から一定厚みＨ２の部分が前記仕上げ層７（コンクリート等）により埋め込まれる部分となっている。
尚、図６において、θは、仮想面２６と略半円柱部１１の円弧成立限界点との間の角度を示すもので、これは、本実施形態においては、２０〜２５°程度に設定されている。略半円錐部１２についても、略半円柱部１１の頂点を通る水平面を基準面とした円弧成立限界点の角度は、、同じ程度の角度θに設定されている。
【００１８】
前記略半円錐部１２は、延び方向一方側から他方側に向かうに従って徐々に、径方向外方に拡大するように設定されている。具体的には、略半円錐部１２は、その頂部１２ａが、略半円錐部１２の延び方向全体に亘って円弧状に形成されており、その円弧形状は、前記略半円柱部１１の半径Ｒ１と同じ半径Ｒ１をもって形成されている。円弧状の頂部１２aは、その延び方向他方側に向かうに従って高さが高くなっており、その円弧状の頂部１２ａの幅方向（図６中、左右方向）一方側には一方側（上流側又は下流側）側面２９が連なり、その円弧状の頂部１２ａの幅方向他方側には他方側（上流側又は下流側）側面３０が連なっている。一方側側面２９は、下方側に向かうに従って隔壁ブロック３の幅方向一方側外方（図６中、左側）に向かって傾斜され、その一方側側面２９は、延び方向他方側に向かうに従って隔壁ブロック３の幅方向一方側外方に多少拡がることになっている。同様に、他方側側面３０は、下方側に向かうに従って隔壁ブロック３の幅方向他方側外方（図６中、右側）に向かって傾斜され、その他方側側面３０は、延び方向他方側に向かうに従って隔壁ブロック３の幅方向他方側外方に多少拡がることになっている。
【００１９】
このような隔壁ブロック３は、延び方向他方側に向かうに従って径方向外方に略全体的に円弧状に拡径されるものに比べてコンパクトとなっている。すなわち、延び方向他方側に向かうに従って径方向外方に略全体的に円弧状に拡径されるものの外縁は、略半円錐部１２の任意の頂点から前記仮想面２６に垂下させて該仮想面２６と交わった点Ｏ１を中心として、その垂下長さを半径Ｒ２をもって仮想円３１を描くことにより得ることができるが、本実施形態に係る隔壁ブロック３の一方側側面２９、他方側側面３０のいずれも、仮想円３１内に収まることになっており、コンパクトなものとなっている。図６においては、隔壁ブロック３の延び方向他端面における頂点を任意の頂点とし、その頂点から仮想面２６に垂下させて該仮想面２６と交わった点Ｏ１を中心として、その垂下長さを半径Ｒ２とすることにより仮想円３１を描いている。
これにより、コンパクト化を図りつつ、河川流を、略半円錐部１２外周面に沿って流れる連続流として、魚が上流に登り易くすることができることになる。
【００２０】
このような隔壁ブロック３は、コンクリート等を打設して仕上げ層７を形成する前に、図１，図２に示すように、所定の設置位置における水路２の底面６に配置されることになっている。この場合、隔壁ブロック３が、下面９が平坦面に形成され、下面９よりも上方部分である略半円柱部１１及び略半円錐部１２が、延び方向一方側から他方側に向かうに従って、径方向に拡大するように設定されていることから、隔壁ブロック３は、その延び方向一方側から他方側に向かうに従って、その下面の面積が拡大されると共に重量が増大することになり、水路２内の底面６に隔壁ブロック３を単に載置するだけで、それら（面積、重量）をもってほとんど、隔壁ブロック３を設置安定性良く水路２底面６に設置（固定）できることになる。
【００２１】
しかも本実施形態においては、隔壁ブロック３を水路２の底面６に配置した後、コンクリート等が打設されて仕上げ層７が形成されることになり、隔壁ブロック３における略半円柱部１１の側面下部１１ｂ及び略半円錐部１２の側面下部１２ｂがコンクリート等からなる仕上げ層７に係合することになり、隔壁ブロック３の移動は、前記重量等だけでなく、係合関係によっても規制されることになる。
【００２２】
さらに本実施形態においては、前述した如く、隔壁ブロック３の延び方向両端面と、水路２の側壁部５との間に二次コンクリート３２が充填されるが、好ましくは、図８に示すように、隔壁ブロック３の延び方向端面に上下方向に延びる溝２３を形成し、その溝２３内に水路２の側壁部５から突設する止水板１４を収め、その上で、隔壁ブロック３の延び方向端面と水路２の側壁部５との間に、止水板１４が埋もれるように二次コンクリート３２を充填するのがよい。これにより、隔壁ブロック３の延び方向端面と側壁部５との間を水が移動することを規制できると共に、隔壁ブロック３が、流れ方向に移動することを、一層確実に規制できることになる。
【００２３】
このように隔壁ブロック３が水路２内に設置されて、図１，図２に示すように配置されると、隔壁ブロック３の傾斜面（頂部１２ａの傾斜（図３参照））に基づき、水は、越流しながら上流側から下流側に蛇行しながら流れることになる（水の流れを図２中、符号ＷＳで示す）。これに伴い、魚ｆは、魚の動きを示す符号ｆｓからも明らかなように、流れに抗して、下流側から上流側に登ることになる（図１参照）。このとき、隔壁ブロック３においては、延び方向において、その傾斜に基づき越流水の速度が異なり、泳力の弱い魚であっても、上流に向けて登ることができることになる。また、水路２においては、隔壁ブロック３により流れの影響を受けない淀み部Ｓが形成されており、その淀み部Ｓにおいて魚ｆは休むことができることになる。
尚、この隔壁ブロック３の設置においては、略半円柱部１１の頂部１１ａから水面ＷＬまでの深さＷｄが２０ｃｍ程度に設定されることになっており、このため、隣り合う隔壁ブロック３間の間隔Ｌ等が適宜調整される。
【００２４】
さらに、各隔壁ブロック３をコンパクトにしたことに伴い、隔壁ブロック３の使用材料量（コンクリート量）の低減を図ることができるばかりか、隣り合う隔壁ブロック３間の滞留空間を増大させることができることになり、水路２を流れる水の流速を低下させることができることになる。
【００２５】
図９〜図１２は第２実施形態、図１３〜図１５は第３実施形態、図１６は第４実施形態を示す。この各実施形態において、前記第１実施形態と同一構成要素については同一付してその説明を省略する。
【００２６】
図９〜図１２に示す第２実施形態は、耐摩耗性を高めるために、隔壁ブロック３の下面９よりも上方部分における表層部内に、石としての自然石１８を内蔵させたものを示している。具体的には、コンクリートからなる隔壁ブロック３内部には、隔壁ブロック３の形状を多少小さくした枠体１５が内蔵され、その枠体１５に網状体としての金網１７が取付けられ、金網１７に自然石１８が取付けられている。
【００２７】
この第２実施形態に係る隔壁ブロック３を製造するためには、予め、前記枠体１５と、その枠体１５を内部に沿うように収納できる凹所２２を有する型２１、すなわち、凹所２２が真っ直ぐ延びその凹所２２内がその延び方向一方側から他方側に向かうに従って径方向外方にに拡大された型２２と、金網１７に自然石１８が取付けられた石保持ユニット１６とを用意する。
その上で先ず、図１１に示すように、枠体１５に、凹所２２内面に対向して配置されるべき部分において石保持ユニット１６を取付けて、補強構造物１９を形成する。
次に、上記補強構造物１９を、図１２に示すように、型２１内に該型２１内面に沿うようにして収納し、その後、コンクリート２０を型２１内に充填する。
これにより、金網１７の網目を利用して型２１内全体がコンクリート２０により満たされることになり、その硬化を待って取り出せば、第２実施形態に係る隔壁ブロックが得られることになる。
【００２８】
図１３〜図１５に示す第３実施形態は、隔壁ブロック３が、複数の構成ブロック３ａ〜３ｅが順次、連結することにより構成されている。すなわち、各構成ブロック３ａ〜３ｅには、隣り合う構成ブロックの端面において、上下方向に延びる溝２４が対向してそれぞれ形成されており、その隣り合う構成ブロック３ａ〜３ｅ同士の溝２４が孔２５を形成している。この孔２５内にモルタルが充填されることになっており、このモルタルの硬化により隣り合う構成ブロック３ａ〜３ｅ同士が連結されることになり、隔壁ブロック３が得られることになる。勿論この場合、モルタルの充填に換えて、金属製の強度部材を一種のキーとして圧入してもよい。
尚、本実施形態においては、隔壁ブロック３の全長Ｂが５ｍの下で、１つの構成ブロック３ａ（３ｂ〜３ｅ）の軸心方向長さＬＰが１０００ｍｍ前後に設定されている。
【００２９】
図１６に示す第４実施形態は、前記第１実施形態の変形例を示す。この実施形態においては、一方側側面２９の起立傾斜程度が他方側側面３０の起立傾斜程度よりも大きくされている。これは、上流側側面の形状（傾斜）によっては水の流れがあまり影響を受けない一方、下流側側面の形状（傾斜）が水の流れに大きな影響を与えることに着目し、一方側側面２９を上流側側面として用いるべく、その起立傾斜程度を他方側側面３０の場合よりも大きくしたのである。
【００３０】
これにより、前記第１実施形態の場合よりも、一層、隔壁ブロック３の使用材料量を低減できると共に、隔壁ブロック３をコンパクトにして、隣り合う隔壁ブロック３間の水の滞留空間を増大できることになる（滞留空間の増大に伴い水の流速を低下させることができることになる）。
【００３１】
以上実施形態について説明したが本発明にあっては次のような態様を包含する。
１）石を内蔵する隔壁ブロック３の製造に使用する石保持ユニット１６に関しては、石として、自然石の他に、擬石等を用いることができ、網状体としては、金網の他に、格子状組織を有する合成樹脂製、鉄筋製等のものを適宜用いることができる。さらに、石と網状体との取付けには、接着剤、連結具（アンカー、座板、シャックル等）等、種々のものを用いることができる。
２）隔壁ブロック３の内部を中空にすることができ、必要な場合には、その中空内に重量物を内蔵することもできる。
３）水路２の側壁部５内面に上下方向に延びる溝を形成し、その溝に隔壁ブロック３の延び方向端部を上方から嵌合して、両者５，３を連結することもできる。
４）水路２の底面６上に、型２１を用いて、直接、隔壁ブロック３を形成することもできる。すなわち、型２１の開口側を水路２の底面に向け、上方又は側方から型２１内にコンクリートを注入し、そのコンクリートの硬化後、脱型すれば、底面６上に隔壁ブロック３が形成されることになる。勿論、補強構造物１９を予め型２１内に収納しておくことが耐摩耗性の観点から好ましいことは、言うまでもない。
５）隔壁ブロック３を、複数の構成ブロック３ａ〜３ｅを連結して構成する場合において、各構成ブロック３ａ〜３ｅの下部に底壁部を一体的に設けると共に、隔壁ブロック３の延び方向両端側における構成ブロック３ａ，３ｅに側壁部５を設けて、複数の構成ブロック３ａ〜３ｅを連結することにより、隔壁ブロック３を形成する共に、水路２の一部（流れ方向の一部）を形成することができる。
【００３２】
尚、本発明の目的は、明記されたものに限らず、実質的に好ましい或いは利点として載されたものに対応したものを提供することをも含むものである。
【図面の簡単な説明】
【００３３】
【図１】第１実施形態に係る魚道を示す説明図。
【図２】第１実施形態に係る魚道を示す平面図。
【図３】第１実施形態に係る隔壁ブロックを示す正面図。
【図４】第１実施形態に係る隔壁ブロックを示す平面図。
【図５】図４の左側面図。
【図６】第１実施形態に係る隔壁ブロックを説明する説明図。
【図７】第１実施形態に係る魚道での水の流れを説明する説明図。
【図８】水路の側壁部と隔壁ブロックとの好ましい連結例を示す説明図。
【図９】第２実施形態に係る隔壁ブロックを示す斜視図。
【図１０】図９のＸ−Ｘ線断面図。
【図１１】第２実施形態に係る隔壁ブロックの製造工程を説明する図。
【図１２】図１１に続く製造工程を説明する図。
【図１３】第３実施形態に係る隔壁ブロックを示す平面図。
【図１４】第３実施形態に係る隔壁ブロックを示す正面図。
【図１５】図１４の左側面図。
【図１６】第１実施形態に係る隔壁ブロックを説明する説明図。
【符号の説明】
【００３４】
１ 魚道
２ 水路
３ 越流型隔壁ブロック
５ 水路の側壁部
６ 底面
７ 仕上げ層
９ 下面
１２ 略半円錐部
１２ｂ 側面下部
１５ 枠体
１６ 石保持ユニット
１７ 金網
１８ 自然石
１９ 補強構造物
２１ 型
２２ 凹所
２４ 溝
２５ 孔
２９ 略半円錐部の一方側側面
３０ 略半円錐部の他方側側面
【図１】
2008157024.tif 000003
【図２】
2008157024.tif 000004
【図３】
2008157024.tif 000005
【図４】
2008157024.tif 000006
【図５】
2008157024.tif 000007
【図６】
2008157024.tif 000008
【図７】
2008157024.tif 000009
【図８】
2008157024.tif 000010
【図９】
2008157024.tif 000011
【図１０】
2008157024.tif 000012
【図１１】
2008157024.tif 000013
【図１２】
2008157024.tif 000014
【図１３】
2008157024.tif 000015
【図１４】
2008157024.tif 000016
【図１５】
2008157024.tif 000017
【図１６】
2008157024.tif 000018